(57)【要約】【課題】テンプレート内のテキストの一部を一枚ずつ変更しながら複数枚のテープ印刷（ラベル作成）を簡単に行うことが可能なテープ印刷装置、プログラム、及び記憶媒体を提供すること。【解決手段】印刷キーの押下後は、テキスト・バッファ内において、第１ブロック内の第１文字から最終ブロック内の最終文字まで現在のカーソル位置が移動するに合わせて（Ｓ８１、Ｓ８２、Ｓ９０、Ｓ９２）、印刷バッファの印刷データが作成されると共に（Ｓ８３、Ｓ８４）、クリア領域設定済の領域にある現在のカーソル位置の文字がテキスト・バッファから削除される（Ｓ８６）。従って、テキスト・バッファ内は、クリア領域設定済の領域に該当するテンプレートの各ブロックの全体又は各ブロックの一部に入力されているテキストが印刷キーの押下後に自動的にクリアされる。【選択図】図８
2014108536.tif 000002
【特許請求の範囲】
【請求項１】
テープ印刷装置であって、
１以上のフィールドを備えたテンプレートが記憶されたテンプレート記憶手段と、
テンプレートのフィールドにテキストを順番に入力するテキスト入力手段と、
前記テキスト入力手段で入力されたテキストが記憶されるテキスト記憶手段と、
前記テキスト記憶手段に記憶されたテキストと当該テキストが入力されたテンプレートとをテープに印刷する印刷手段と、
前記テキスト入力手段で入力されたテンプレートのフィールドの全体内又はフィールドの一部内のテキストがクリアされるクリア領域を設定するクリア領域設定手段と、
前記クリア領域設定手段で設定されたクリア領域が記憶されるクリア領域記憶手段と、
前記クリア領域記憶手段に記憶されたクリア領域に該当するテンプレートのフィールドの全体又はフィールドの一部に入力されているテキストをクリアするテキスト・クリア手段と、
前記クリア領域記憶手段に記憶されたクリア領域に該当するテンプレートのフィールドの全体又はフィールドの一部に入力されているテキストをクリアするか否かを判断するクリア判断手段と、を備え、
前記クリア判断手段がクリアすると判断したときは、前記印刷手段による印刷後に前記テキスト・クリア手段が実行されることにより、前記クリア領域記憶手段に記憶されたクリア領域に該当するテンプレートのフィールドの全体又はフィールドの一部に入力されているテキストが前記印刷手段による印刷後に自動的にクリアされること、を特徴とするテープ印刷装置。
【請求項２】
請求項１に記載するテープ印刷装置であって、
前記クリア領域設定手段は、前記テキスト入力手段で入力されたテンプレートのフィールドの全体内又はフィールドの一部内のテキストがクリアされるクリア領域を複数設定することが可能であること、を特徴とするテープ印刷装置。
【請求項３】
請求項１又は請求項２に記載するテープ印刷装置であって、
前記クリア領域設定手段によるクリア領域の設定を解除するクリア領域解除手段を備えたこと、を特徴とするテープ印刷装置。
【請求項４】
請求項１乃至請求項３のいずれか一つに記載するテープ印刷装置であって、
前記印刷手段の実行開始のトリガーを発生させる印刷キーと、
前記印刷手段における印刷枚数を設定する印刷枚数設定手段と、を備え、
前記クリア領域記憶手段に記憶されたクリア領域に該当するテンプレートのフィールドの全体内又はフィールドの一部内に対して前記テキスト入力手段でテキストが入力された後に、前記印刷キーによるトリガーが発生すると、前記印刷手段による印刷が開始されると共に、前記印刷枚数設定手段で設定された印刷枚数まで前記印刷手段による印刷が継続されること、を特徴とするテープ印刷装置。
【請求項５】
請求項４に記載するテープ印刷装置であって、
前記クリア領域記憶手段に記憶されたクリア領域に該当しないテンプレートのフィールドの全体又はフィールドの一部が連番印刷範囲であること、を特徴とするテープ印刷装置。
【請求項６】
請求項４又は請求項５に記載するテープ印刷装置であって、
前記印刷枚数設定手段で設定された印刷枚数まで前記印刷手段による印刷が継続された後は、前記テキスト・クリア手段の実行が阻止されること、を特徴とするテープ印刷装置。
【請求項７】
請求項１乃至請求項６のいずれか一つに記載するテープ印刷装置であって、
前記テキスト・クリア手段の実行開始のトリガーを発生させるクリアキーを備え、
前記クリアキーによるトリガーが発生すると、前記テキスト・クリア手段が実行されることによって、前記クリア領域記憶手段に記憶されたクリア領域に該当するテンプレートのフィールドの全体内又はフィールドの一部内に入力されているテキストがクリアされること、を特徴とするテープ印刷装置。
【請求項８】
請求項１乃至請求項７のいずれか一つに記載するテープ印刷装置であって、
前記印刷手段による印刷後に前記テキスト・クリア手段の実行を阻止させるトリガーを発生させるクリア無効印刷指示キーを備えたこと、を特徴とするテープ印刷装置。
【請求項９】
請求項１乃至請求項８のいずれか一つに記載するテープ印刷装置を実現させるためのプログラムであって、
前記テープ印刷装置に接続されたパーソナル・コンピュータで実行されること、を特徴とするプログラム。
【請求項１０】
請求項９に記載するプログラムが記憶されたこと、を特徴とする記憶媒体。
【発明の詳細な説明】
【技術分野】
【０００１】
本発明は、テキストの一部を変更したテープ印刷（ラベル作成）を行うテープ印刷装置、プログラム、及び記憶媒体に関するものである。
【背景技術】
【０００２】
従来より、テキストの一部を変更したテープ印刷（ラベル作成）を行う技術としては、例えば、下記特許文献１に記載された技術がある。その技術では、データを記憶した領域が、区別マークにより、ホールド領域とリフレッシュ領域とに２つに分けられる。つまり、データを記憶した領域では、先頭から区別マークまでがホールド領域であり、区別マーク以降がリフレッシュ領域である。
【０００３】
ここで、区別マークがＬＣＤに表示されているときは、リフレッシュ領域の文字列のみが印刷される。一方、区別マークがＬＣＤに表示されていないときは、双方の領域の各文字列が印刷される。
【０００４】
従って、区別マークがＬＣＤに表示されていない状態のままで、リフレッシュ領域の文字列のみが入力し直されると、ホールド領域の文字列は変更されずに印刷されると共に、リフレッシュ領域の文字列は入力し直された文字列が印刷される。これにより、上記技術では、テキストの一部を変更したテープ印刷（ラベル作成）を行うことが可能である。
【０００５】
すなわち、上記技術では、一行又複数行のテキストを印刷する際に区別マーク以降のテキストを印刷のたびに変更すれば、テキストの一部を変更した複数枚のテープ印刷（ラベル作成）を簡単に行うことができる。
【先行技術文献】
【特許文献】
【０００６】
【特許文献１】特願平１−２６４８６６号公報
【発明の概要】
【発明が解決しようとする課題】
【０００７】
しかしながら、上記技術では、テンプレートに備えられたフィールドの全体内又はフィールドの一部内のテキストを一枚ずつ変更しながら、複数枚のテープ印刷（ラベル作成）を簡単に行うことはできなかった。
【０００８】
そこで、本発明は、上述した点を鑑みてなされたものであり、テンプレート内のテキストの一部を一枚ずつ変更しながら、複数枚のテープ印刷（ラベル作成）を簡単に行うことが可能なテープ印刷装置、プログラム、及び記憶媒体を提供することを課題とする。
【課題を解決するための手段】
【０００９】
この課題を解決するためになされた請求項１に係る発明は、テープ印刷装置であって、１以上のフィールドを備えたテンプレートが記憶されたテンプレート記憶手段と、テンプレートのフィールドにテキストを順番に入力するテキスト入力手段と、前記テキスト入力手段で入力されたテキストが記憶されるテキスト記憶手段と、前記テキスト記憶手段に記憶されたテキストと当該テキストが入力されたテンプレートとをテープに印刷する印刷手段と、前記テキスト入力手段で入力されたテンプレートのフィールドの全体内又はフィールドの一部内のテキストがクリアされるクリア領域を設定するクリア領域設定手段と、前記クリア領域設定手段で設定されたクリア領域が記憶されるクリア領域記憶手段と、前記クリア領域記憶手段に記憶されたクリア領域に該当するテンプレートのフィールドの全体又はフィールドの一部に入力されているテキストをクリアするテキスト・クリア手段と、前記クリア領域記憶手段に記憶されたクリア領域に該当するテンプレートのフィールドの全体又はフィールドの一部に入力されているテキストをクリアするか否かを判断するクリア判断手段と、を備え、前記クリア判断手段がクリアすると判断したときは、前記印刷手段による印刷後に前記テキスト・クリア手段が実行されることにより、前記クリア領域記憶手段に記憶されたクリア領域に該当するテンプレートのフィールドの全体又はフィールドの一部に入力されているテキストが前記印刷手段による印刷後に自動的にクリアされること、を特徴とする。
【００１０】
また、請求項２に係る発明は、請求項１に記載するテープ印刷装置であって、前記クリア領域設定手段は、前記テキスト入力手段で入力されたテンプレートのフィールドの全体内又はフィールドの一部内のテキストがクリアされるクリア領域を複数箇所設定することが可能であること、を特徴とする。
【００１１】
また、請求項３に係る発明は、請求項１又は請求項２に記載するテープ印刷装置であって、前記クリア領域設定手段によるクリア領域の設定を解除するクリア領域解除手段を備えたこと、を特徴とする。
【００１２】
また、請求項４に係る発明は、請求項１乃至請求項３のいずれか一つに記載するテープ印刷装置であって、前記印刷手段の実行開始のトリガーを発生させる印刷キーと、前記印刷手段における印刷枚数を設定する印刷枚数設定手段と、を備え、前記クリア領域記憶手段に記憶されたクリア領域に該当するテンプレートのフィールドの全体内又はフィールドの一部内に対して前記テキスト入力手段でテキストが入力された後に、前記印刷キーによるトリガーが発生すると、前記印刷手段による印刷が開始されると共に、前記印刷枚数設定手段で設定された印刷枚数まで前記印刷手段による印刷が継続されること、を特徴とする。
【００１３】
また、請求項５に係る発明は、請求項４に記載するテープ印刷装置であって、前記クリア領域記憶手段に記憶されたクリア領域に該当しないテンプレートのフィールドの全体又はフィールドの一部が連番印刷範囲であること、を特徴とする。
【００１４】
また、請求項６に係る発明は、請求項４又は請求項５に記載するテープ印刷装置であって、前記印刷枚数設定手段で設定された印刷枚数まで前記印刷手段による印刷が継続された後は、前記テキスト・クリア手段の実行が阻止されること、を特徴とする。
【００１５】
また、請求項７に係る発明は、請求項１乃至請求項６のいずれか一つに記載するテープ印刷装置であって、前記テキスト・クリア手段の実行開始のトリガーを発生させるクリアキーを備え、前記クリアキーによるトリガーが発生すると、前記テキスト・クリア手段が実行されることによって、前記クリア領域記憶手段に記憶されたクリア領域に該当するテンプレートのフィールドの全体内又はフィールドの一部内に入力されているテキストがクリアされること、を特徴とする。
【００１６】
また、請求項８に係る発明は、請求項１乃至請求項７のいずれか一つに記載するテープ印刷装置であって、前記印刷手段による印刷後に前記テキスト・クリア手段の実行を阻止させるトリガーを発生させるクリア無効印刷指示キーを備えたこと、を特徴とする。
【００１７】
また、請求項９に係る発明は、請求項１乃至請求項８のいずれか一つに記載するテープ印刷装置を実現させるためのプログラムであって、前記テープ印刷装置に接続されたパーソナル・コンピュータで実行されること、を特徴とする。
【００１８】
また、請求項１０に係る発明は、記憶媒体であって、請求項９に記載するプログラムが記憶されたこと、を特徴とする。
【発明の効果】
【００１９】
すなわち、請求項１、９、１０に係るテープ印刷装置、プログラム、及び記憶媒体では、クリア判断手段がクリアすると判断したときは、印刷手段による印刷後にテキスト・クリア手段が実行されることにより、クリア領域記憶手段に記憶されたクリア領域に該当するテンプレートのフィールドの全体又はフィールドの一部に入力されているテキストが印刷手段による印刷後に自動的にクリアされるので、テンプレート内のテキストの一部を一枚ずつ変更しながら、複数枚のテープ印刷（ラベル作成）を簡単に行うことが可能である。
【００２０】
また、請求項２、９、１０に係るテープ印刷装置、プログラム、及び記憶媒体では、クリア領域設定手段が、テキスト入力手段で入力されたテンプレートのフィールドの全体内又はフィールドの一部内のテキストがクリアされるクリア領域を複数設定することにより、テンプレート内のテキストの一部を一枚ずつ複数変更しながら、複数枚のテープ印刷（ラベル作成）を簡単に行うことが可能である。
【００２１】
また、請求項３、９、１０に係るテープ印刷装置、プログラム、及び記憶媒体では、クリア領域設定手段によるクリア領域の設定を解除するクリア領域解除手段を備えたことにより、クリア領域記憶手段に記憶されたクリア領域に該当するテンプレートのフィールドの全体又はフィールドの一部に入力されているテキストが印刷手段による印刷後に自動的にクリアされることを解除することが可能である。
【００２２】
また、請求項４、９、１０に係るテープ印刷装置、プログラム、及び記憶媒体では、クリア領域記憶手段に記憶されたクリア領域に該当するテンプレートのフィールドの全体内又はフィールドの一部内に対してテキスト入力手段でテキストが入力された後に、印刷キーによるトリガーが発生すると、印刷手段による印刷が開始されると共に、印刷枚数設定手段で設定された印刷枚数まで印刷手段による印刷が継続されることから、テンプレート内のテキストの一部を一枚ずつ変更しながら、複数枚のテープ印刷（ラベル作成）を行うことが自動化され、一層に簡単に行うことが可能である。
【００２３】
また、請求項５、９、１０に係るテープ印刷装置、プログラム、及び記憶媒体では、クリア領域記憶手段に記憶されたクリア領域に該当しないテンプレートのフィールドの全体又はフィールドの一部が連番印刷範囲であれば、テンプレート内のテキストの一部を一枚ずつ複数変更しながら、複数枚のテープ印刷（ラベル作成）を簡単に行うことを、ナンバリング印刷と同時に行うことが可能である。
【００２４】
また、請求項６、９、１０に係るテープ印刷装置、プログラム、及び記憶媒体では、印刷枚数設定手段で設定された印刷枚数まで印刷手段による印刷が継続された後は、テキスト・クリア手段の実行が阻止されることによって、テンプレート内のテキストの一部を一枚ずつ複数変更しながら、複数枚のテープ印刷（ラベル作成）を簡単に行った後に、通常の印刷に戻すことも簡単に行うことが可能である。
【００２５】
また、請求項７、９、１０に係るテープ印刷装置、プログラム、及び記憶媒体では、クリアキーによるトリガーが発生すると、テキスト・クリア手段が実行されることによって、クリア領域記憶手段に記憶されたクリア領域に該当するテンプレートのフィールドの全体内又はフィールドの一部内に入力されているテキストがクリアされるので、テンプレート内のテキストの一部を一枚ずつ複数変更しながら、複数枚のテープ印刷（ラベル作成）を簡単に行うことを、ユーザーによるクリアキー操作を契機として行うことが可能である。
【００２６】
また、請求項８、９、１０に係るテープ印刷装置、プログラム、及び記憶媒体では、印刷手段による印刷後にテキスト・クリア手段の実行を阻止させるトリガーを発生させるクリア無効印刷指示キーに対するユーザーの操作を契機として、テンプレート内のテキストの一部を一枚ずつ複数変更しながら、複数枚のテープ印刷（ラベル作成）を簡単に行った後に、通常の印刷に戻すことも簡単に行うことが可能である。
【図面の簡単な説明】
【００２７】
【図１】本発明の一実施形態に係るテープ印刷装置を備えたテープ印刷システムが表された斜視図である。
【図２】同テープ印刷装置を備えたテープ印刷システムの制御系が表されたブロック図である。
【図３】同テープ印刷装置で実行されるメイン処理が表されたフローチャート図である。
【図４】同テープ印刷装置で実行されるテンプレート設定処理が表されたフローチャート図である。
【図５】同テープ印刷装置で実行される印刷処理の一部が表されたフローチャート図である。
【図６】同テープ印刷装置で実行されるクリア領域設定処理が表されたフローチャート図である。
【図７】同テープ印刷装置で実行されるナンバリング領域設定処理が表されたフローチャート図である。
【図８】同テープ印刷装置で実行される印刷処理の一部が表されたフローチャート図である。
【図９】同テープ印刷装置で実行されるテキスト・クリア処理が表されたフローチャート図である。
【図１０】同テープ印刷装置のディスプレイの表示内容が表された図である。
【図１１】同テープ印刷装置のディスプレイの表示内容が表された図である。
【図１２】同テープ印刷装置で印刷されたラベルが表された図である。
【発明を実施するための形態】
【００２８】
［１．テープ印刷装置等の概要］
以下、本発明の一実施の形態について、図面を参照しつつ説明する。図１に表されたように、本実施形態に係るテープ印刷装置１２は、テープ状印刷媒体（テープ）に対して印刷を行うものであり、キーボード２８やディスプレイ２９を備えている。キーボード２８には、多数のキーが設けられており、例えば、印刷キー２８Ａや、テキスト・クリアキー２８Ｂ、及びクリア無効印刷指示キー２８Ｃが設けられている。ディスプレイ２９には、ラベルのイメージ等が表示される。ラベルのイメージは、ラベルの編集作業等の際に参照される。
【００２９】
本実施形態に係るテープ印刷装置１２は、内部に、図示しないテープ駆動印刷機構やテープ切断用のカッター等を備えており、装着されたテープカセット（図示せず）からテープを引き出してこれに所定の印刷を行うとともにカッターで切断することにより、ラベル（図１２のラベルＬ１、ラベルＬ２参照）を排出口３２から排出するようになっている。
【００３０】
本実施形態に係るテープ印刷装置１２は、パーソナル・コンピュータ１１と通信可能に接続されている。パーソナル・コンピュータ１１は、本体１３、表示部１４、キーボード１５、マウス１６、及びＣＤ−ＲＯＭドライブ１３Ａを備えている。
【００３１】
図２に表されたように、パーソナル・コンピュータ１１は、ＣＰＵ１８、ＲＯＭ１９、ＲＡＭ２０、ＣＤ−ＲＯＭドライブ１３Ａ、ＨＤ（Ｈａｒｄ Ｄｉｓｋ）２１、操作部１７、表示部１４、インターフェイス（Ｉ／Ｆ）２２を備えており、これらは、バスを介して相互に接続されている。ＣＰＵ１８、ＲＯＭ１９、ＲＡＭ２０、ＣＤ−ＲＯＭドライブ１３Ａ、ＨＤ２１は、パーソナル・コンピュータ１１の本体１３内に組み込まれている。操作部１７は、キーボード１５及びマウス１６によって構成されている（上記図１参照）。表示部１４は、ディスプレイによって構成されている（上記図１参照）。
【００３２】
ＲＯＭ１９は、読み出し専用の記憶装置であって、パーソナル・コンピュータ１１の動作を制御するために用いられる各種プログラムが格納されている。ＨＤ２１は、読み出し・書き込み可能な記憶装置であって、パーソナル・コンピュータ１１で実行されるプログラムを含む各種ソフトウェアが格納されている。ＨＤ２１には、作成された種々のデータ等も格納される。ＣＤ−ＲＯＭドライブ１３Ａは、ＣＤ−ＲＯＭ４１に記憶された各種ソフトウエアを読み込むための装置である。
【００３３】
ＣＰＵ１８は、操作部１７によって入力された信号や、ＲＯＭ１９、ＨＤ２１、ＲＡＭ２０、ＣＤ−ＲＯＭ４１内の各種プログラムやデータに基づいて各種演算及び処理を行う。さらに、ＣＰＵ１８は、インターフェイス２２を介してテープ印刷装置１２にデータ等を送信する。ＲＡＭ２０は、読み出し・書き込み可能な揮発性記憶装置であって、ＣＰＵ１８での各種演算結果等が記憶される。インターフェイス２２は、テープ印刷装置１２のインターフェイス（Ｉ／Ｆ）３０と接続されており、パーソナル・コンピュータ１１とテープ印刷装置１２との間の通信を可能にする。
【００３４】
テープ印刷装置１２は、ＣＰＵ２３、ＲＯＭ２４、ＲＡＭ２５、ＥＥＰＲＯＭ２６、印刷部２７、キーボード２８、ディスプレイ２９、ＣＧ−ＲＯＭ３１、インターフェイス３０を備えており、これらは、バスを介して相互に接続されている。ＣＰＵ２３、ＲＯＭ２４、ＲＡＭ２５、ＥＥＰＲＯＭ２６、印刷部２７、ＣＧ−ＲＯＭ３１は、テープ印刷装置１２内に組み込まれている。印刷部２７は、上記テープ駆動印刷機構や上記テープ切断用のカッター等によって構成されている。
【００３５】
ＲＯＭ２４は、読み出し専用の記憶装置であって、テープ印刷装置１２の動作を制御するために用いられる各種プログラムが格納されている。ＥＥＰＲＯＭ２６は、読み出し・書き込み可能な不揮発性記憶装置であって、テープ印刷装置１２を後述するように機能させるためのプログラム（このプログラムは、ＣＤ−ＲＯＭ４１などのリムーバブル型記憶媒体に記録しておくこと等により、テープ印刷装置１２に接続されたパーソナル・コンピュータ１１のＨＤ２１にインストールすることが可能である）を含む各種ソフトウェアが格納されている。さらに、ＥＥＰＲＯＭ２６には、各種のテンプレート書式データや、パーソナル・コンピュータ１１から送信されたデータ等も格納される。ＣＧ−ＲＯＭ３１は、印字される文字や記号の画像データがコードデータと対応させてドットパターンで記憶されるキャラクタージェネレータ用メモリである。
【００３６】
ＣＰＵ２３は、キーボード２８によって入力された信号や、ＲＯＭ２４、ＥＥＰＲＯＭ２６、ＲＡＭ２５、ＣＧ−ＲＯＭ３１内の各種プログラムやデータに基づいて各種演算及び処理を行う。さらに、ＣＰＵ２３は、インターフェイス３０を介してパーソナル・コンピュータ１１からデータ等を受信する。ＲＡＭ２５は、読み出し・書き込み可能な揮発性記憶装置であって、ＣＰＵ２３での各種演算結果等が記憶される。ＲＡＭ２５内には、テキスト・バッファ、イメージ・バッファ、印刷バッファ、及び各変数等が確保される。インターフェイス３０は、パーソナル・コンピュータ１１のインターフェイス２２と接続されており、パーソナル・コンピュータ１１とテープ印刷装置１２との間の通信を可能にする。
【００３７】
［２．テープ印刷装置の機能］
次に、テープ印刷装置１２における処理手順について、図３乃至図９のフローチャートを参照しながら説明する。図３乃至図９のフローチャートで表された制御プログラムの各々は、ＥＥＰＲＯＭ２６に記憶されたものであって、ＣＰＵ２３により実行される。
【００３８】
図３のフローチャートで表された制御プログラムが実行される直前では、テープ印刷装置１２のディスプレイ２９には、図１０（ａ）に表されたように、通常の編集画面が表示される。尚、テープ印刷装置１２のディスプレイ２９の表示内容は、ＣＰＵ２３が各処理においてデータ展開させたＲＡＭ２５内のイメージ・バッファに基づく。
【００３９】
先ず、図３に表されたフローチャートでは、Ｓ１１において、図４に表されたテンプレート設定処理が行われる。この処理では、ユーザーの操作によって選択されたテンプレートの書式情報が設定される。この選択・設定は、ユーザーの押下操作がなされたキーボード２８からの入力信号に基づいて行われる。
【００４０】
図４に表されたテンプレート設定処理では、先ず、Ｓ３１において、テンプレートがメニューから選択される。このとき、テープ印刷装置１２のディスプレイ２９には、図１０（ｂ）に表されたように、テンプレート・メニューが表示される。ここで、ユーザーの操作によって「用途別ラベル作成」が選択されると、テープ印刷装置１２のディスプレイ２９には、図１０（ｃ）に表されたように、テンプレート・レイアウト選択メニューが表示される。
【００４１】
テンプレート・レイアウト選択メニューでは、例えば、図１０（ｃ）に表されたように、テンプレート名とテンプレートのレイアウトとがセットになった表示が行われ、ユーザーによる上下キー（カーソルキー）の操作で、そのセットの表示が切り替えられる。ユーザーは、気に入ったテンプレートのところで選択（例えばＯＫキー押下）することで、テンプレートを選択する。尚、以下の具体例については、図１０（ｃ）に表されたように、「ＶＨＳビデオ」のテンプレート名と「ＶＨＳビデオ」のテンプレートのレイアウトとがユーザーの操作によって選択された場合を説明する。
【００４２】
ここで、「ＶＨＳビデオ」のテンプレートのレイアウトについて説明する。図１２（ａ）（ｂ）に表されたように、「ＶＨＳビデオ」のテンプレートＴには、第１ブロックＢ１、第２ブロックＢ２、第３ブロックＢ３、第４ブロックＢ４、第５ブロックＢ５、及び第６ブロックＢ６が設けられている。第１ブロックＢ１は、図１０（ｅ）に表されたように、「シンボル」の表題が付せられている。第２ブロックＢ２は、図１０（ｆ）（ｇ）に表されたように、「タイトル」の表題が付せられている。第３ブロックＢ３は、図１０（ｈ）に表されたように、「コメント」の表題が付せられている。第４ブロックＢ４は、図１０（ｉ）に表されたように、「録画時間」の表題が付せられている。第５ブロックＢ５は、図１０（ｊ）に表されたように、録画モードである「標準／３倍」の表題が付せられている。第６ブロックＢ６は、図１１（ａ）に表されたように、「録画日」の表題が付せられている。
【００４３】
上記図４に表されたテンプレート設定処理に戻り、Ｓ３２に進むと、テンプレート書式データの読み出しが行われる。例えば、図１０（ｃ）に表されたように、「ＶＨＳビデオ」のテンプレート名と「ＶＨＳビデオ」のテンプレートのレイアウトとが選択されたときは、その選択された「ＶＨＳビデオ」のレイアウトに関するテンプレート書式データがＥＥＰＲＯＭ２６から読み出される。その後は、Ｓ３３に進む。Ｓ３３では、上記Ｓ３２のテンプレート書式データに含まれている各ブロック書式情報がＲＡＭ２５内のテキスト・バッファ等に設定される。
【００４４】
その後は、上記図３に表されたフローチャートに戻って、Ｓ１１の２に進む。Ｓ１１の２では、印刷設定枚数αが設定される。この設定は、キーボード２８からの入力信号に基づいて行われる。このとき、テープ印刷装置１２のディスプレイ２９には、図１０（ｄ）に表されたように、設定される際の印刷設定枚数α（図１０（ｄ）では「０１」）が反転表示される。その後は、Ｓ１２に進む。
【００４５】
Ｓ１２では、ＲＡＭ２５内のテキスト・バッファにおいて、カーソル位置がテンプレートの第１ブロックに設定される。このとき、テープ印刷装置１２のディスプレイ２９には、「ＶＨＳビデオ」のテンプレートＴの第１ブロックＢ１についての編集画面が表示される。その後は、Ｓ１３に進む。Ｓ１３では、キー入力待ちとなる。
【００４６】
Ｓ１４では、文字キーが押下されたか否かが判断される。この判断は、キーボード２８からの入力信号に基づいて行われる。ここで、文字キーが押下された場合（Ｓ１４：ＹＥＳ）には、Ｓ１５に進む。Ｓ１５では、文字入力が行われる。このとき、例えば、「★」のシンボルがテキスト入力された場合には、ＲＡＭ２５内のテキスト・バッファにおいて、「ＶＨＳビデオ」のテンプレートＴの第１ブロックＢ１には「★」のシンボル（テキスト）が設定される。と同時に、図１０（ｅ）に表されたように、テープ印刷装置１２のディスプレイ２９には、「★」のシンボル（テキスト）が表示される。その後は、上記Ｓ１３に戻り、キー入力待ちとなる。
【００４７】
上記Ｓ１４において、文字キーが押下されていない場合（Ｓ１４：ＮＯ）には、Ｓ１６に進む。Ｓ１６では、カーソルキーが押下されたか否かが判断される。この判断は、キーボード２８からの入力信号に基づいて行われる。ここで、カーソルキーが押下された場合（Ｓ１６：ＹＥＳ）には、Ｓ１７に進む。Ｓ１７では、カーソル移動が行われる。その後は、上記Ｓ１３に戻り、キー入力待ちとなる。
【００４８】
上記Ｓ１７のカーソル移動とは、ＲＡＭ２５内のテキスト・バッファにおいて、カーソル位置がテンプレートの一つのブロック内を移動して設定されることをいう。
【００４９】
さらに、上記Ｓ１７のカーソル移動とは、ＲＡＭ２５内のテキスト・バッファにおいて、カーソル位置がテンプレートの他のブロックに移動して設定されることをもいう。よって、例えば、カーソルキーの押下によって（Ｓ１６：ＹＥＳ）、「ＶＨＳビデオ」のテンプレートＴの第２ブロックＢ２にカーソル位置が設定された場合において（Ｓ１７）、「大漁１」のタイトルがテキスト入力されたときは（Ｓ１４：ＹＥＳ、Ｓ１５）、ＲＡＭ２５内のテキスト・バッファにおいて、「ＶＨＳビデオ」のテンプレートＴの第２ブロックＢ２には「大漁１」のタイトル（テキスト）が設定される。と同時に、図１０（ｆ）に表されたように、テープ印刷装置１２のディスプレイ２９には、「大漁１」のタイトル（テキスト）が表示される。
【００５０】
また、例えば、カーソルキーの押下によって（Ｓ１６：ＹＥＳ）、「ＶＨＳビデオ」のテンプレートＴの第３ブロックＢ３にカーソル位置が設定された場合において（Ｓ１７）、「保存版」のコメントがテキスト入力されたときは（Ｓ１４：ＹＥＳ、Ｓ１５）、ＲＡＭ２５内のテキスト・バッファにおいて、「ＶＨＳビデオ」のテンプレートＴの第３ブロックＢ３には「保存版」のコメント（テキスト）が設定される。と同時に、図１０（ｈ）に表されたように、テープ印刷装置１２のディスプレイ２９には、「保存版」のコメント（テキスト）が表示される。
【００５１】
また、例えば、カーソルキーの押下によって（Ｓ１６：ＹＥＳ）、「ＶＨＳビデオ」のテンプレートＴの第４ブロックＢ４にカーソル位置が設定された場合において（Ｓ１７）、「１２０分」の録画時間がテキスト入力されたときは（Ｓ１４：ＹＥＳ、Ｓ１５）、ＲＡＭ２５内のテキスト・バッファにおいて、「ＶＨＳビデオ」のテンプレートＴの第４ブロックＢ４には「１２０分」の録画時間（テキスト）が設定される。と同時に、図１０（ｉ）に表されたように、テープ印刷装置１２のディスプレイ２９には、「１２０分」の録画時間（テキスト）が表示される。
【００５２】
また、例えば、カーソルキーの押下によって（Ｓ１６：ＹＥＳ）、「ＶＨＳビデオ」のテンプレートＴの第５ブロックＢ５にカーソル位置が設定された場合において（Ｓ１７）、「標準」の録画モードがテキスト入力されたときは（Ｓ１４：ＹＥＳ、Ｓ１５）、ＲＡＭ２５内のテキスト・バッファにおいて、「ＶＨＳビデオ」のテンプレートＴの第５ブロックＢ５には「標準」の録画モード（テキスト）が設定される。と同時に、図１０（ｊ）に表されたように、テープ印刷装置１２のディスプレイ２９には、「標準」の録画モード（テキスト）が表示される。
【００５３】
また、例えば、カーソルキーの押下によって（Ｓ１６：ＹＥＳ）、「ＶＨＳビデオ」のテンプレートＴの第６ブロックＢ６にカーソル位置が設定された場合において（Ｓ１７）、「２０１４年８月１９日」の録画日がテキスト入力されたときは（Ｓ１４：ＹＥＳ、Ｓ１５）、ＲＡＭ２５内のテキスト・バッファにおいて、「ＶＨＳビデオ」のテンプレートＴの第６ブロックＢ６には「２０１４年８月１９日」の録画日（テキスト）が設定される。と同時に、図１１（ａ）に表されたように、テープ印刷装置１２のディスプレイ２９には、「２０１４年８月１９日」の録画日（テキスト）が表示される。
【００５４】
上記図３に表されたフローチャートに戻り、上記Ｓ１６において、カーソルキーが押下されていない場合（Ｓ１６：ＮＯ）には、Ｓ１８に進む。Ｓ１８では、クリア領域設定キーが押下されたか否かが判断される。この判断は、キーボード２８からの入力信号に基づいて行われる。ここで、クリア領域設定キーが押下された場合（Ｓ１８：ＹＥＳ）には、Ｓ１９に進む。Ｓ１９では、図６に表されたクリア領域設定処理が行われる。
【００５５】
図６に表されたクリア領域設定処理では、先ず、Ｓ４１にて、ＲＡＭ２５内のテキスト・バッファにおいて、現在のカーソル位置がクリア領域設定済の領域であるか否かが判断される。この判断は、ＲＡＭ２５内の各ブロック書式情報に基づいて行われる。ここで、現在のカーソル位置がクリア領域設定済の領域でない場合（Ｓ４１：ＮＯ）には、Ｓ４２に進む。
【００５６】
Ｓ４２では、ＲＡＭ２５内のテキスト・バッファにおいて、クリア領域先頭位置とクリア領域末尾位置とが現在のカーソル位置に設定される。この設定は、ＲＡＭ２５内の各ブロック書式情報に書き込まれる。その後は、Ｓ４３に進む。Ｓ４３では、クリア領域先頭位置からクリア領域末尾位置までの表示が反転される。例えば、ＲＡＭ２５内のテキスト・バッファにおいて、「ＶＨＳビデオ」のテンプレートＴの第６ブロックＢ６内の「２０１４年８月１９日」の「８」に現在のカーソル位置がある場合には、その現在のカーソル位置に対してクリア領域先頭位置とクリア領域末尾位置とが設定される。と同時に、図１１（ｂ）に表されたように、テープ印刷装置１２のディスプレイ２９には、「２０１４年８月１９日」の録画日（テキスト）のうち「８」のみが反転表示される。
【００５７】
その後は、Ｓ４４に進む。Ｓ４４では、キー入力待ちとなる。
【００５８】
Ｓ４５では、カーソルキーが押下されたか否かが判断される。この判断は、キーボード２８からの入力信号に基づいて行われる。ここで、カーソルキーが押下された場合（Ｓ４５：ＹＥＳ）には、Ｓ４６に進む。
【００５９】
Ｓ４６では、カーソルの移動が可能か否かが判断される。具体的には、ＲＡＭ２５内のテキスト・バッファにおいて、現在のカーソル位置があるテンプレートのブロック内でカーソルの移動が可能か否かが判断される。ここで、カーソルの移動が可能でない場合（Ｓ４６：ＮＯ）には、上記Ｓ４４に戻って、キー入力待ちとなる。これに対して、上記Ｓ４６でカーソルの移動が可能である場合（Ｓ４６：ＹＥＳ）には、Ｓ４７に進む。
【００６０】
Ｓ４７では、カーソル位置移動が行われる。具体的には、ＲＡＭ２５内のテキスト・バッファにおいて、押下されたカーソルキーの方向に基づき、現在のカーソル位置があるテンプレートのブロック内でカーソルの移動が行われる。その後は、上記Ｓ４４に戻って、キー入力待ちとなる。これに対して、上記Ｓ４５でカーソルキーが押下されていない場合（Ｓ４５：ＮＯ）には、Ｓ４８に進む。
【００６１】
Ｓ４８では、クリア領域設定キーが押下されたか否かが判断される。この判断は、キーボード２８からの入力信号に基づいて行われる。ここで、クリア領域設定キーが押下されていない場合（Ｓ４８：ＮＯ）には、上記Ｓ４４に戻って、キー入力待ちとなる。これに対して、クリア領域設定キーが押下された場合（Ｓ４８：ＹＥＳ）には、Ｓ４９に進む。
【００６２】
Ｓ４９では、クリア領域末尾位置が現在のカーソル位置に設定される。この設定は、ＲＡＭ２５内の各ブロック書式情報に書き込まれる。尚、図１１（ｂ）では、ＲＡＭ２５内のテキスト・バッファにおいて、「ＶＨＳビデオ」のテンプレートＴの第６ブロックＢ６内の「２０１４年８月１９日」の「８」に現在のカーソル位置がある場合に、カーソルキーが押下されることなく（Ｓ４５：ＮＯ）、クリア領域設定キーが押下されている（Ｓ４８：ＹＥＳ）。従って、ＲＡＭ２５内のテキスト・バッファにおいて、「ＶＨＳビデオ」のテンプレートＴの第６ブロックＢ６内の「２０１４年８月１９日」の「８」に対して、クリア領域先頭位置とクリア領域末尾位置とが設定される。
【００６３】
また、図１１（ｃ）では、ＲＡＭ２５内のテキスト・バッファにおいて、「ＶＨＳビデオ」のテンプレートＴの第６ブロックＢ６内の「２０１４年８月１９日」の「１」に現在のカーソル位置がある場合に、カーソルキーが押下され（Ｓ４５：ＹＥＳ）、「２０１４年８月１９日」の「９」にカーソル位置が移動している（Ｓ４６：ＹＥＳ、Ｓ４７）。その後、クリア領域設定キーが押下されている（Ｓ４８：ＹＥＳ）。従って、ＲＡＭ２５内のテキスト・バッファにおいて、「ＶＨＳビデオ」のテンプレートＴの第６ブロックＢ６内の「２０１４年８月１９日」の「１」に対して、クリア領域先頭位置が設定されると共に、「２０１４年８月１９日」の「９」に対して、クリア領域末尾位置が設定される。その後は、上記図３に表されたフローチャートに戻って、上記Ｓ１３のキー入力待ちとなる。
【００６４】
一方、上記Ｓ４１で現在のカーソル位置がクリア領域設定済の領域である場合（Ｓ４１：ＹＥＳ）には、Ｓ５０に進む。Ｓ５０では、ＲＡＭ２５内のテキスト・バッファにおいて、現在のカーソル位置を含んだクリア領域先頭位置とクリア領域末尾位置とが解除される。この設定は、ＲＡＭ２５内の各ブロック書式情報に書き込まれる。また、上記Ｓ４３での反転表示も解除される。その後は、上記図３に表されたフローチャートに戻って、上記Ｓ１３のキー入力待ちとなる。
【００６５】
上記図３に表されたフローチャートにおいて、上記Ｓ１８でクリア領域設定キーが押下されていない場合（Ｓ１８：ＮＯ）には、Ｓ２０に進む。Ｓ２０では、ナンバリング領域設定キーが押下されたか否かが判断される。この判断は、キーボード２８からの入力信号に基づいて行われる。ここで、ナンバリング領域設定キーが押下された場合（Ｓ２０：ＹＥＳ）には、Ｓ２１に進む。Ｓ２１では、図７に表されたナンバリング領域設定処理が行われる。
【００６６】
図７に表されたナンバリング領域設定処理では、先ず、Ｓ６１にて、ＲＡＭ２５内のテキスト・バッファにおいて、現在のカーソル位置がクリア領域設定済の領域であるか否かが判断される。この判断は、ＲＡＭ２５内の各ブロック書式情報に基づいて行われる。ここで、現在のカーソル位置がクリア領域設定済の領域でない場合（Ｓ６１：ＮＯ）には、Ｓ６２に進む。
【００６７】
Ｓ６２では、ＲＡＭ２５内のテキスト・バッファにおいて、ナンバリング領域先頭位置とナンバリング領域末尾位置とが現在のカーソル位置に設定される。この設定は、ＲＡＭ２５内の各ブロック書式情報に書き込まれる。その後は、Ｓ６３に進む。Ｓ６３では、ナンバリング領域先頭位置からナンバリング領域末尾位置までの表示が反転される。例えば、ＲＡＭ２５内のテキスト・バッファにおいて、「ＶＨＳビデオ」のテンプレートＴの第２ブロックＢ２内の「大漁１」の「１」に現在のカーソル位置がある場合には、その現在のカーソル位置に対してナンバリング領域先頭位置とナンバリング領域末尾位置とが設定される。と同時に、図１０（ｇ）に表されたように、テープ印刷装置１２のディスプレイ２９には、「大漁１」のタイトル（テキスト）のうち「１」のみが反転表示される。
【００６８】
その後は、Ｓ６４に進む。Ｓ６４では、キー入力待ちとなる。
【００６９】
Ｓ６５では、カーソルキーが押下されたか否かが判断される。この判断は、キーボード２８からの入力信号に基づいて行われる。ここで、カーソルキーが押下された場合（Ｓ６５：ＹＥＳ）には、Ｓ６６に進む。
【００７０】
Ｓ６６では、カーソルの移動が可能か否かが判断される。具体的には、ＲＡＭ２５内のテキスト・バッファにおいて、現在のカーソル位置があるテンプレートのブロック内でカーソルの移動が可能か否かが判断される。ここで、カーソルの移動が可能でない場合（Ｓ６６：ＮＯ）には、上記Ｓ６４に戻って、キー入力待ちとなる。これに対して、上記Ｓ６６でカーソルの移動が可能である場合（Ｓ６６：ＹＥＳ）には、Ｓ６７に進む。
【００７１】
Ｓ６７では、カーソル位置移動が行われる。具体的には、ＲＡＭ２５内のテキスト・バッファにおいて、押下されたカーソルキーの方向に基づき、現在のカーソル位置があるテンプレートのブロック内でカーソルの移動が行われる。その後は、上記Ｓ６４に戻って、キー入力待ちとなる。これに対して、上記Ｓ６５でカーソルキーが押下されていない場合（Ｓ６５：ＮＯ）には、Ｓ６８に進む。
【００７２】
Ｓ６８では、ナンバリング領域設定キーが押下されたか否かが判断される。この判断は、キーボード２８からの入力信号に基づいて行われる。ここで、ナンバリング領域設定キーが押下されていない場合（Ｓ６８：ＮＯ）には、上記Ｓ６４に戻って、キー入力待ちとなる。これに対して、ナンバリング領域設定キーが押下された場合（Ｓ６８：ＹＥＳ）には、Ｓ６９に進む。
【００７３】
Ｓ６９では、ナンバリング領域末尾位置が現在のカーソル位置に設定される。この設定は、ＲＡＭ２５内の各ブロック書式情報に書き込まれる。尚、図１０（ｇ）では、ＲＡＭ２５内のテキスト・バッファにおいて、「ＶＨＳビデオ」のテンプレートＴの第２ブロックＢ２内の「大漁１」の「１」に現在のカーソル位置がある場合において、カーソルキーが押下されることなく（Ｓ６５：ＮＯ）、ナンバリング領域設定キーが押下されている（Ｓ６８：ＹＥＳ）。従って、ＲＡＭ２５内のテキスト・バッファにおいて、「ＶＨＳビデオ」のテンプレートＴの第２ブロックＢ２内の「大漁１」の「１」に対して、ナンバリング領域先頭位置とナンバリング領域末尾位置とが設定される。その後は、上記図３に表されたフローチャートに戻って、上記Ｓ１３のキー入力待ちとなる。
【００７４】
一方、上記Ｓ６１で現在のカーソル位置がナンバリング領域設定済の領域である場合（Ｓ６１：ＹＥＳ）には、Ｓ７０に進む。Ｓ７０では、ＲＡＭ２５内のテキスト・バッファにおいて、現在のカーソル位置を含んだナンバリング領域先頭位置とナンバリング領域末尾位置とが解除される。この設定は、ＲＡＭ２５内の各ブロック書式情報に書き込まれる。また、上記Ｓ６３での反転表示も解除される。その後は、上記図３に表されたフローチャートに戻って、上記Ｓ１３のキー入力待ちとなる。
【００７５】
上記図３に表されたフローチャートにおいて、上記Ｓ２０でナンバリング領域設定キーが押下されていない場合（Ｓ２０：ＮＯ）には、Ｓ２２に進む。Ｓ２２では、印刷キー２８Ａが押下されたか否かが判断される。この判断は、キーボード２８からの入力信号に基づいて行われる。ここで、印刷キー２８Ａが押下された場合（Ｓ２２：ＹＥＳ）には、Ｓ２３に進む。Ｓ２３では、図８に表された印刷処理が行われる。
【００７６】
図８に表された印刷処理では、先ず、Ｓ８０において、変数Ｘに「１」が代入される。変数Ｘは、現在の印刷枚数を表しており、ＲＡＭ２５内に確保される。その後は、Ｓ８１に進む。
【００７７】
Ｓ８１では、変数Ｍと変数Ｎにそれぞれ「１」が代入される。変数Ｍと変数Ｎは、ＲＡＭ２５内に確保される。その後は、Ｓ８２に進む。Ｓ８２では、ＲＡＭ２５内のテキスト・バッファにおいて、カーソル位置が第Ｍブロック内の第Ｎ文字の位置に設定される。尚、第Ｍブロックの「Ｍ」は、変数Ｍの値である。また、第Ｎ文字の「Ｎ」は、変数Ｎの値である。その後は、Ｓ８３に進む。
【００７８】
Ｓ８３では、ＲＡＭ２５内のテキスト・バッファのカーソル位置の文字印刷データが、ＣＧ−ＲＯＭ３１内のデータを用いて作成される。その後は、Ｓ８４に進む。
【００７９】
Ｓ８４では、上記Ｓ８３で作成されたカーソル位置の文字印刷データがＲＡＭ２５内の印刷バッファに書き込まれる。その後は、Ｓ８４の２に進む。
【００８０】
Ｓ８４の２では、テキスト・クリア無効設定が有効であるか否かが判断される。この判断は、ＲＡＭ２５内の各ブロック書式情報に基づいて行われる。ここで、テキスト・クリア無効設定が有効である場合（Ｓ８４の２：ＹＥＳ）には、下記Ｓ８９に進む。これに対して、テキスト・クリア無効設定が有効でない場合（Ｓ８４の２：ＮＯ）には、Ｓ８５に進む。
【００８１】
Ｓ８５では、現在のカーソル位置の文字がクリア領域設定済であるか否かが判断される。この判断は、ＲＡＭ２５内の各ブロック書式情報に基づいて行われる。ここで、現在のカーソル位置の文字がクリア領域設定済である場合（Ｓ８５：ＹＥＳ）には、Ｓ８６に進む。
【００８２】
Ｓ８６では、現在のカーソル位置の文字がＲＡＭ２５内のテキスト・バッファから削除される。例えば、上述したように、図１１（ｂ）で反転表示された「８」は、ＲＡＭ２５内のテキスト・バッファでは、クリア領域設定済である。従って、ＲＡＭ２５内のテキスト・バッファにおいて、「ＶＨＳビデオ」のテンプレートＴの第６ブロックＢ６内の「２０１４年８月１９日」の「８」がクリアされる。同様にして、図１１（ｃ）で反転表示された「１９」は、ＲＡＭ２５内のテキスト・バッファでは、クリア領域設定済である。従って、ＲＡＭ２５内のテキスト・バッファにおいて、「ＶＨＳビデオ」のテンプレートＴの第６ブロックＢ６内の「２０１４年８月１９日」の「１９」がクリアされる。
【００８３】
その後は、下記Ｓ８９に進む。これに対して、上記Ｓ８５で現在のカーソル位置の文字がクリア領域設定済でない場合（Ｓ８５：ＮＯ）には、Ｓ８７に進む。
【００８４】
Ｓ８７では、現在のカーソル位置の文字がナンバリング領域設定済であるか否かが判断される。この判断は、ＲＡＭ２５内の各ブロック書式情報に基づいて行われる。ここで、現在のカーソル位置の文字がナンバリング領域設定済である場合（Ｓ８７：ＹＥＳ）には、Ｓ８８に進む。
【００８５】
Ｓ８８では、現在のカーソル位置の文字がＲＡＭ２５内のテキスト・バッファでカウントアップされる。例えば、上述したように、図１０（ｇ）の「大漁１」のうち反転表示された「１」は、ＲＡＭ２５内のテキスト・バッファでは、ナンバリング領域設定済である。従って、ＲＡＭ２５内のテキスト・バッファでは、「１」がカウントアップされることにより、「２」が設定される。従って、ＲＡＭ２５内のテキスト・バッファにおいて、「ＶＨＳビデオ」のテンプレートＴの第２ブロックＢ２内には「大漁２」が設定される。その後は、下記Ｓ８９に進む。これに対して、上記Ｓ８７で現在のカーソル位置の文字がナンバリング領域設定済でない場合（Ｓ８７：ＮＯ）には、Ｓ８９に進む。
【００８６】
Ｓ８９では、ＲＡＭ２５内のテキスト・バッファにおいて、現在のカーソル位置の文字が第Ｍブロック内の最終文字であるか否かが判断される。ここで、現在のカーソル位置の文字が第Ｍブロック内の最終文字でない場合（Ｓ８９：ＮＯ）には、Ｓ９０に進む。
【００８７】
Ｓ９０では、変数Ｎが「１」インクリメントされる。その後は、上記Ｓ８２に戻って、上記Ｓ８２以降の各処理が繰り返し行われる。これに対して、上記Ｓ８９で現在のカーソル位置の文字が第Ｍブロック内の最終文字である場合（Ｓ８９：ＹＥＳ）には、Ｓ９１に進む。
【００８８】
Ｓ９１では、ＲＡＭ２５内のテキスト・バッファにおいて、現在のカーソル位置の文字が最終ブロック内にあるか否かが判断される。ここで、現在のカーソル位置の文字が最終ブロック内にない場合（Ｓ９１：ＮＯ）には、Ｓ９２に進む。
【００８９】
Ｓ９２では、変数Ｍが「１」インクリメントされる。その後は、上記Ｓ８２に戻って、上記Ｓ８２以降の各処理が繰り返し行われる。これに対して、上記Ｓ９１で現在のカーソル位置の文字が最終ブロック内にある場合（Ｓ９１：ＹＥＳ）には、Ｓ９３に進む。
【００９０】
Ｓ９３では、ＲＡＭ２５内の印刷バッファに蓄積された印刷データの印刷が開始される。この印刷は、印刷部２７によって実行される。印刷中は、上記印刷設定枚数αが「１」であれば、図１１（ｄ）に表されたように、テープ印刷装置１２のディスプレイ２９には、「印刷中です。１／１」が表示される。このとき、図１２（ａ）に表されたラベルＬ１が印刷・作成される。その後は、図５のＳ９４に進む。
【００９１】
Ｓ９４では、現在の印刷枚数Ｘ＋「１」が印刷設定枚数αに等しいか否かが判断される。この判断は、ＲＡＭ２５内に確保された各変数Ｘ、αに基づいて行われる。ここで、現在の印刷枚数Ｘ＋「１」が印刷設定枚数αに等しい場合（Ｓ９４：ＹＥＳ）には、Ｓ９５に進む。Ｓ９５では、テキスト・クリア無効設定が有効にされる。この有効の設定は、ＲＡＭ２５内の各ブロック書式情報に書き込まれる。その後は、下記Ｓ９６に進む。
【００９２】
一方、上記Ｓ９４で現在の印刷枚数Ｘ＋「１」が印刷設定枚数αに等しくない場合（Ｓ９４：ＮＯ）には、Ｓ９７に進む。Ｓ９７では、現在の印刷枚数Ｘが印刷設定枚数αに等しいか否かが判断される。この判断は、ＲＡＭ２５に記憶された各変数Ｘ、αに基づいて行われる。ここで、現在の印刷枚数Ｘが印刷設定枚数αに等しくない場合（Ｓ９７：ＮＯ）には、Ｓ９６に進む。
【００９３】
Ｓ９６では、ＲＡＭ２５内の現在の印刷枚数Ｘが「１」インクリメントされる。その後は、上記図８の上記Ｓ８１に戻って、上記Ｓ８１以降の各処理が繰り返し行われる。
【００９４】
一方、上記Ｓ９７で現在の印刷枚数Ｘが印刷設定枚数αに等しい場合（Ｓ９７：ＹＥＳ）には、上記図３に表されたフローチャートに戻って、Ｓ２４に進む。
【００９５】
Ｓ２４では、カーソル位置をクリア設定領域の先頭に移動させる。例えば、上述したように、図１１（ｂ）で反転表示された「８」は、ＲＡＭ２５内のテキスト・バッファでは、クリア領域設定済の先頭である。従って、テープ印刷装置１２のディスプレイ２９では、「２０１４年８月１９日」の録画日のうち「８」を表示していた箇所が、 図１１（ｅ）に表されたように、カーソルのみが表示される。
【００９６】
その後は、上記Ｓ１３に戻り、キー入力待ちとなる。ここで、図１１（ｆ）に表されたように、先頭のクリア領域に「９」が文字入力されると共に（Ｓ１４：ＹＥＳ、Ｓ１５）、カーソルを次のクリア領域に移動させる（Ｓ１６：ＹＥＳ、Ｓ１７）。さらに、図１１（ｇ）に表されたように、次のクリア領域に「１」が文字入力される（Ｓ１４：ＹＥＳ、Ｓ１５）。このようにしてテキスト更新された後に、印刷キー２８Ａが押下されると（Ｓ２２：ＹＥＳ）、図１２（ｂ）に表されたラベルＬ２が印刷・作成される。このとき、上記印刷設定枚数αが「１」であれば、テープ印刷装置１２のディスプレイ２９には、図１１（ｈ）に表されたように、「印刷中です。１／１」が表示される。
【００９７】
図１２（ｂ）に表されたラベルＬ２では、「ＶＨＳビデオ」のテンプレートＴの第６ブロックＢ６内が「２０１４年９月１日」にテキスト更新され、「ＶＨＳビデオ」のテンプレートＴの第２ブロックＢ２内が「大漁２」にカウントアップされる。
【００９８】
一方、上記Ｓ２２で印刷キー２８Ａが押下されていない場合（Ｓ２２：ＮＯ）には、Ｓ２５に進む。Ｓ２５では、テキスト・クリアキー２８Ｂが押下されたか否かが判断される。この判断は、キーボード２８からの入力信号に基づいて行われる。ここで、テキスト・クリアキー２８Ｂが押下された場合（Ｓ２５：ＹＥＳ）には、Ｓ２６に進む。Ｓ２６では、図９に表されたテキスト・クリア処理が行われる。
【００９９】
図９に表されたテキスト・クリア処理では、先ず、Ｓ１０１では、変数Ｍと変数Ｎにそれぞれ「１」が代入される。その後は、Ｓ１０２に進む。Ｓ１０２では、ＲＡＭ２５内のテキスト・バッファにおいて、カーソル位置が第Ｍブロック内の第Ｎ文字の位置に設定される。その後は、Ｓ１０３に進む。
【０１００】
Ｓ１０３では、現在のカーソル位置の文字がクリア領域設定済であるか否かが判断される。ここで、現在のカーソル位置の文字がクリア領域設定済である場合（Ｓ１０３：ＹＥＳ）には、Ｓ１０４に進む。
【０１０１】
Ｓ１０４では、現在のカーソル位置の文字がＲＡＭ２５内のテキスト・バッファから削除される。例えば、上述したように、図１１（ｂ）で反転表示された「８」は、ＲＡＭ２５内のテキスト・バッファでは、クリア領域設定済である。従って、ＲＡＭ２５内のテキスト・バッファにおいて、「ＶＨＳビデオ」のテンプレートＴの第６ブロックＢ６内の「２０１４年８月１９日」の「８」がクリアされる。同様にして、図１１（ｃ）で反転表示された「１９」は、ＲＡＭ２５内のテキスト・バッファでは、クリア領域設定済である。従って、ＲＡＭ２５内のテキスト・バッファにおいて、「ＶＨＳビデオ」のテンプレートＴの第６ブロックＢ６内の「２０１４年８月１９日」の「１９」がクリアされる。
【０１０２】
その後は、下記Ｓ１０７に進む。これに対して、上記Ｓ１０３で現在のカーソル位置の文字がクリア領域設定済でない場合（Ｓ１０３：ＮＯ）には、Ｓ１０５に進む。
【０１０３】
Ｓ１０５では、現在のカーソル位置の文字がナンバリング領域設定済であるか否かが判断される。ここで、現在のカーソル位置の文字がナンバリング領域設定済である場合（Ｓ１０５：ＹＥＳ）には、Ｓ１０６に進む。
【０１０４】
Ｓ１０６では、現在のカーソル位置の文字がＲＡＭ２５内のテキスト・バッファでカウントアップされる。例えば、上述したように、図１０（ｇ）の「大漁１」のうち反転表示された「１」は、ＲＡＭ２５内のテキスト・バッファでは、ナンバリング領域設定済である。従って、ＲＡＭ２５内のテキスト・バッファでは、「１」がカウントアップされることにより、「２」が設定される。従って、ＲＡＭ２５内のテキスト・バッファにおいて、「ＶＨＳビデオ」のテンプレートＴの第２ブロックＢ２内には「大漁２」が設定される。その後は、下記Ｓ１０７に進む。これに対して、上記１０５で現在のカーソル位置の文字がナンバリング領域設定済でない場合（Ｓ１０５：ＮＯ）には、Ｓ１０７に進む。
【０１０５】
Ｓ１０７では、ＲＡＭ２５内のテキスト・バッファにおいて、現在のカーソル位置の文字が第Ｍブロック内の最終文字であるか否かが判断される。ここで、現在のカーソル位置の文字が第Ｍブロック内の最終文字でない場合（Ｓ１０７：ＮＯ）には、Ｓ１０８に進む。
【０１０６】
Ｓ１０８では、変数Ｎが「１」インクリメントされる。その後は、上記Ｓ１０２に戻って、上記Ｓ１０２以降の各処理が繰り返し行われる。これに対して、上記Ｓ１０７で現在のカーソル位置の文字が第Ｍブロック内の最終文字である場合（Ｓ１０７：ＹＥＳ）には、Ｓ１０９に進む。
【０１０７】
Ｓ１０９では、ＲＡＭ２５内のテキスト・バッファにおいて、現在のカーソル位置の文字が最終ブロック内にあるか否かが判断される。ここで、現在のカーソル位置の文字が最終ブロック内にない場合（Ｓ１０９：ＮＯ）には、Ｓ１１０に進む。
【０１０８】
Ｓ１１０では、変数Ｍが「１」インクリメントされる。その後は、上記Ｓ１０２に戻って、上記Ｓ１０２以降の各処理が繰り返し行われる。これに対して、上記Ｓ１０９で現在のカーソル位置の文字が最終ブロック内にある場合（Ｓ１０９：ＹＥＳ）には、上記図３の上記Ｓ２４に進む。
【０１０９】
一方、上記図３の上記Ｓ２５でテキスト・クリアキー２８Ｂが押下されていない場合（Ｓ２５：ＮＯ）には、Ｓ２７に進む。Ｓ２７では、その他の処理が行われる。この処理は、キーボード２８からの入力信号に基づいて行われる。その後は、上記Ｓ１３に戻り、キー入力待ちとなる。
【０１１０】
［３．まとめ］
すなわち、本実施の形態に係るテープ印刷装置１２では、印刷処理（Ｓ２３）において、ＲＡＭ２５内のテキスト・バッファでテンプレートＴの第１ブロックＢ１の第１文字から最終（第６）ブロックＢ６の最終文字まで現在のカーソル位置が移動し（Ｓ８１、Ｓ８２、Ｓ９０、Ｓ９２）、ＲＡＭ２５内のテキスト・バッファのテキストデータに基づいてＲＡＭ２５内の印刷バッファの印刷データが作成される（Ｓ８３、Ｓ８４）。そして、ＲＡＭ２５内の印刷バッファの印刷データがテープ印刷（ラベル作成）される（Ｓ９３）。
【０１１１】
その一方で、ＲＡＭ２５内のテキスト・バッファでは、テンプレートＴの第１ブロックＢ１内の第１文字から最終（第６）ブロックＢ６内の最終文字まで現在のカーソル位置が移動する際（Ｓ８１、Ｓ８２、Ｓ９０、Ｓ９２）に、現在のカーソル位置の文字がクリア領域設定済である場合（Ｓ８５：ＹＥＳ）には、現在のカーソル位置の文字がＲＡＭ２５内のテキスト・バッファから削除される（Ｓ８６）。
【０１１２】
つまり、印刷キー２８Ａが押下された後は（Ｓ２２：ＹＥＳ）、ＲＡＭ２５内のテキスト・バッファにおいて、第１ブロックＢ１内の第１文字から最終（第６）ブロックＢ６内の最終文字まで現在のカーソル位置が移動し（Ｓ８１、Ｓ８２、Ｓ９０、Ｓ９２）、クリア領域設定済である現在のカーソル位置の文字がＲＡＭ２５内のテキスト・バッファから削除される（Ｓ８６）。
【０１１３】
従って、ＲＡＭ２５内のテキスト・バッファでは、クリア領域設定済であるテキストであって（Ｓ８５：ＹＥＳ）、テンプレートＴの各ブロックＢ１〜Ｂ６の全体又は各ブロックＢ１〜Ｂ６の一部に入力されているテキストが印刷キー２８Ａの押下後に自動的にクリアされるので（Ｓ８６）、図１２（ａ）（ｂ）に表されたラベルＬ１、ラベルＬ２のように、テンプレートＴ内のテキストの一部を一枚ずつ変更しながら、印刷設定枚数α（Ｓ１１の２）のテープ印刷（ラベル作成）を簡単に行うことが可能である（Ｓ８０、Ｓ９３〜Ｓ９７：ＹＥＳ）。
【０１１４】
また、本実施の形態に係るテープ印刷装置１２では、クリア領域設定処理（Ｓ１９）におけるカーソル位置移動（Ｓ４７）とクリア領域設定キー押下（Ｓ４８：ＹＥＳ）とにより、（さらに、カーソル位置移動（Ｓ１７）により、）テンプレートＴの各ブロックＢ１〜Ｂ６の全体又は各ブロックＢ１〜Ｂ６の一部にクリア領域をＲＡＭ２５内のテキスト・バッファで複数設定することが可能である（Ｓ４９）。
【０１１５】
例えば、ＲＡＭ２５内のテキスト・バッファでは、図１１（ａ）（ｂ）（ｃ）に表されたように、「ＶＨＳビデオ」のテンプレートＴの第６ブロックＢ６内の「２０１４年８月１９日」の「８」と「１９」がテキスト入力された２箇所がクリア領域に設定されている。従って、図１２（ａ）（ｂ）に表されたラベルＬ１、ラベルＬ２のように、テンプレートＴ内のテキストの一部を一枚ずつ複数箇所変更しながら、印刷設定枚数α（Ｓ１１の２）のテープ印刷（ラベル作成）を簡単に行うことが可能である（Ｓ８０、Ｓ９３〜Ｓ９７：ＹＥＳ）。
【０１１６】
また、本実施の形態に係るテープ印刷装置１２では、ＲＡＭ２５内のテキスト・バッファにおいて、現在のカーソル位置がクリア領域設定済の領域である場合（Ｓ４１：ＹＥＳ）にて、クリア領域設定キーが押下されることにより（Ｓ１８：ＹＥＳ）、クリア領域設定処理（Ｓ１９）が実行されると、現在のカーソル位置を含んだクリア領域先頭位置とクリア領域末尾位置とが、つまり、現在のカーソル位置を含んだクリア領域が解除される（Ｓ５０）。従って、ＲＡＭ２５内のテキスト・バッファでクリア領域に該当するテンプレートＴの各ブロックＢ１〜Ｂ６の全体又は各ブロックＢ１〜Ｂ６の一部に入力されているテキストが印刷キー２８Ａの押下（Ｓ２２：ＹＥＳ）後に自動的にクリアされること（Ｓ８６）を解除することが可能である。
【０１１７】
また、本実施の形態に係るテープ印刷装置１２では、ＲＡＭ２５内のテキスト・バッファにおいて、クリア領域に該当するテンプレートＴの各ブロックＢ１〜Ｂ６の全体又は各ブロックＢ１〜Ｂ６の一部に対するテキスト入力（Ｓ１５）の後で、印刷キー２８Ａが押下されると（Ｓ２２：ＹＥＳ）、ＲＡＭ２５内の印刷バッファの印刷データがテープ印刷（ラベル作成）されることが開始される（Ｓ９３）。それと共に、印刷設定枚数α（Ｓ１１の２）までテープ印刷（ラベル作成）が継続される（Ｓ８０、Ｓ９３〜Ｓ９７：ＹＥＳ）。つまり、テンプレートＴ内のテキストの一部を一枚ずつ変更しながら、印刷設定枚数α（Ｓ１１の２）のテープ印刷（ラベル作成）を行うこと（Ｓ８０、Ｓ９３〜Ｓ９７：ＹＥＳ）が自動化され、一層に簡単に行うことが可能である。
【０１１８】
また、本実施の形態に係るテープ印刷装置１２では、ナンバリング領域設定処理（Ｓ２１）において、ＲＡＭ２５内のテキスト・バッファで現在のカーソル位置がクリア領域設定済の領域でない場合（Ｓ６１：ＮＯ）には、カーソル位置移動（Ｓ６７）とナンバリング領域設定キー押下（Ｓ６８：ＹＥＳ）とにより、（さらに、カーソル位置移動（Ｓ１７）により、）テンプレートＴの各ブロックＢ１〜Ｂ６の全体又は各ブロックＢ１〜Ｂ６の一部に該当するナンバリング領域設定済の領域をＲＡＭ２５内のテキスト・バッファに設定することが可能である（Ｓ６９）。
【０１１９】
例えば、ＲＡＭ２５内のテキスト・バッファでは、図１０（ｆ）（ｇ）に表されたように、「ＶＨＳビデオ」のテンプレートＴの第２ブロックＢ２内の「大漁１」のうちの「１」がテキスト入力された１箇所がナンバリング領域設定済の領域に設定されている。従って、図１２（ａ）（ｂ）に表されたラベルＬ１、ラベルＬ２のように、テンプレートＴ内のテキストの一部を一枚ずつ複数箇所変更をしながら、印刷設定枚数α（Ｓ１１の２）のテープ印刷（ラベル作成）を簡単に行うこと（Ｓ８０、Ｓ９３〜Ｓ９７：ＹＥＳ）を、ナンバリング印刷と同時に行うことが可能である。
【０１２０】
尚、同様にして、テンプレートＴの各ブロックＢ１〜Ｂ６の全体又は各ブロックＢ１〜Ｂ６の一部に該当するナンバリング領域設定済の領域をＲＡＭ２５内のテキスト・バッファに複数箇所設定することも可能である（Ｓ６９）。従って、テンプレートＴ内のテキストの一部を一枚ずつ複数箇所変更しながら、印刷設定枚数α（Ｓ１１の２）のテープ印刷（ラベル作成）を簡単に行うこと（Ｓ８０、Ｓ９３〜Ｓ９７：ＹＥＳ）を、ナンバリング印刷と同時に行うことも可能である。
【０１２１】
また、本実施の形態に係るテープ印刷装置１２では、印刷処理（Ｓ２３）において、印刷設定枚数α（Ｓ１１の２）までテープ印刷（ラベル作成）が継続された（Ｓ８０、Ｓ９３〜Ｓ９７：ＹＥＳ）後は、現在の印刷枚数Ｘ＋「１」が印刷設定枚数αに等しい場合（Ｓ９４：ＹＥＳ）に、テキスト・クリア無効設定が有効にされる（Ｓ９５）。そのため、その後は、テキスト・クリア無効設定が有効であるので（Ｓ８４の２：ＮＯ）、現在のカーソル位置の文字がＲＡＭ２５内のテキスト・バッファから削除されること（Ｓ８６）は行われない。つまり、現在のカーソル位置の文字がＲＡＭ２５内のテキスト・バッファから削除されること（Ｓ８６）が阻止されるので、テンプレートＴ内のテキストの一部を一枚ずつ複数変更しながら、印刷設定枚数α（Ｓ１１の２）のテープ印刷（ラベル作成）すること（Ｓ８０、Ｓ９３〜Ｓ９７：ＹＥＳ）を簡単に行った後に、通常の印刷に戻すことも簡単に行うことが可能である。
【０１２２】
また、本実施の形態に係るテープ印刷装置１２では、テキスト・クリアキー２８Ｂが押下されると（Ｓ２５：ＹＥＳ）、テキスト・クリア処理（Ｓ２６）が実行される。これによって、ＲＡＭ２５内のテキスト・バッファにおいて、第１ブロックＢ１内の第１文字から最終（第６）ブロックＢ６内の最終文字まで現在のカーソル位置が移動し（Ｓ１０１、Ｓ１０２、Ｓ１０８、Ｓ１１０）、クリア領域設定済である現在のカーソル位置の文字がＲＡＭ２５内のテキスト・バッファから削除される（Ｓ１０４）。
【０１２３】
従って、ＲＡＭ２５内のテキスト・バッファでは、クリア領域設定済であるテキストであって（Ｓ１０３：ＹＥＳ）、テンプレートＴの各ブロックＢ１〜Ｂ６の全体又は各ブロックＢ１〜Ｂ６の一部に入力されているテキストがテキスト・クリアキー２８Ｂの押下後に自動的にクリアされる（Ｓ２５：ＹＥＳ、Ｓ１０４）。よって、テンプレートＴ内のテキストの一部を一枚ずつ複数変更しながら、印刷設定枚数α（Ｓ１１の２）のテープ印刷（ラベル作成）を簡単に行うこと（Ｓ８０、Ｓ９３〜Ｓ９７：ＹＥＳ）を、ユーザーによるテキスト・クリアキー２８Ｂの操作を契機として行うことが可能である。
【０１２４】
また、本実施の形態に係るテープ印刷装置１２では、印刷処理（Ｓ２３）において、テキスト・クリア無効設定が有効であること（Ｓ８４の２：ＮＯ）を契機として、現在のカーソル位置の文字がＲＡＭ２５内のテキスト・バッファから自動的に削除されること（Ｓ８６）が阻止されるので、テンプレートＴ内のテキストの一部を一枚ずつ複数変更しながら、印刷設定枚数α（Ｓ１１の２）のテープ印刷（ラベル作成）を簡単に行った後に（Ｓ８０、Ｓ９３〜Ｓ９７：ＹＥＳ）、通常の印刷に戻すことも簡単に行うことが可能である。
【０１２５】
［４．その他］
尚、本発明は上記実施形態に限定されるものでなく、その趣旨を逸脱しない範囲で様々な変更が可能である。
例えば、図３乃至図９のフローチャートで表された制御プログラムの各々は、上述したように、ＥＥＰＲＯＭ２６に記憶されたものであってもよいが、パーソナル・コンピュータ１１のＨＤ２１に記憶されたものでもよい。このような場合には、例えば、ＣＤ−ＲＯＭ４１からＨＤ２１にダウンロードさせてもよいし、外部通信ネットワークと接続可能な通信機器を介して外部サイトからＨＤ２１にダウンロードさせてもよい。
【符号の説明】
【０１２６】
１１    パーソナル・コンピュータ
１２    テープ印刷装置
１３Ａ  ＣＤ−ＲＯＭドライブ
２３    ＣＰＵ
２４    ＲＯＭ
２５    ＲＡＭ
２６    ＥＥＰＲＯＭ
２７    印刷部
２８    キーボード
２８Ａ  印刷キー
２８Ｂ  テキスト・クリアキー
２８Ｃ  クリア無効印刷指示キー
２９    ディスプレイ
４１    ＣＤ−ＲＯＭ
Ｂ１  第１ブロック
Ｂ２  第２ブロック
Ｂ３  第３ブロック
Ｂ４  第４ブロック
Ｂ５  第５ブロック
Ｂ６  第６ブロック
Ｔ    テンプレート
【図１】
2014108536.tif 000003
【図２】
2014108536.tif 000004
【図３】
2014108536.tif 000005
【図４】
2014108536.tif 000006
【図５】
2014108536.tif 000007
【図６】
2014108536.tif 000008
【図７】
2014108536.tif 000009
【図８】
2014108536.tif 000010
【図９】
2014108536.tif 000011
【図１０】
2014108536.tif 000012
【図１１】
2014108536.tif 000013
【図１２】
2014108536.tif 000014